(57)【要約】【課題】  従来のマルチチャンネル音声再生装置は、音場が形成される場所がまちまちなので、視聴者がその音場に不在か否かを正確に検知できない。また、視聴者に対しスピーカの配置が最適な状態になっていないとき警告を発することもできない。【解決手段】  本発明のマルチチャンネル音声再生装置は、複数のスピーカＢＯＸのそれぞれに備わり該スピーカＢＯＸの前面方向に指向性を有するアンテナから視聴者１３に向けて電波を放射し視聴者１３から反射された反射波を受信する電波送受信手段５１〜５４を有する複数のスピーカＢＯＸと、視聴空間の範囲を予め設定する手段４５と、電波送受信手段からの発信信号に対応する信号ｓ６と受信信号ｓ９に対応する信号に応じて視聴者１３までの距離を演算する手段４３と、該演算された距離が全て前記視聴空間の範囲にないとき電源をオフする手段４５〜４７を備えた。【選択図】図２
2006319822.tif 000002
【特許請求の範囲】
【請求項１】
音声を複数のスピーカＢＯＸから再生して視聴空間に音場を生成するマルチチャンネル音声再生装置において、
前記複数のスピーカＢＯＸのそれぞれに備わり該スピーカＢＯＸの前面方向に指向性を有し視聴者を検知するセンサと、
全ての前記センサが前記視聴者を検知しない状態で所定時間経過したとき電源をオフする電源ＯＮ／ＯＦＦ制御手段を備えたことを特徴とする請求項１に記載のマルチチャンネル音声再生装置。
【請求項２】
音声を複数のスピーカＢＯＸから再生して視聴空間に音場を生成するマルチチャンネル音声再生装置において、
前記複数のスピーカＢＯＸのそれぞれに備わり該スピーカＢＯＸの前面方向に指向性を有し視聴者を検知するセンサと、
少なくとも１つの前記センサが前記視聴者を検知しない状態で所定時間経過したとき電源をオフするように制御する電源ＯＮ／ＯＦＦ制御手段を備えたことを特徴とする請求項１に記載のマルチチャンネル音声再生装置。
【請求項３】
前記センサの検知情報に基づき電源ＯＮ／ＯＦＦ制御手段が電源をオフするように動作したとき、アラーム表示をするアラーム表示手段を備えたことを特徴とする請求項１又は請求項２に記載のマルチチャンネル音声再生装置。
【請求項４】
前記複数のスピーカＢＯＸの少なくとも１つで視聴者が検知され、かつ他の前記複数のスピーカＢＯＸの少なくとも１つで視聴者が検知されないとき、電源オン状態を継続すると共にアラーム信号を出力する手段を備えたことを特徴とする請求項１又は請求項２に記載のマルチチャンネル音声再生装置。
【請求項５】
前記センサの検知情報に基づき視聴者の存在する距離を演算する手段と、該演算された距離が予め定めた視聴空間の範囲内にあるか否かを判別する距離判別手段を備えたことを特徴とする請求項１又は請求項４に記載のマルチチャンネル音声再生装置。
【請求項６】
音声を複数のスピーカＢＯＸから再生して視聴空間に音場を生成するマルチチャンネル音声再生装置において、
前記複数のスピーカＢＯＸのそれぞれに備わり該スピーカＢＯＸの前面方向に指向性を有するアンテナから視聴者に向けて電波を放射し前記視聴者から反射された反射波を受信する電波送受信手段を有する前記複数のスピーカＢＯＸと、
視聴空間の範囲を予め設定する手段と、
前記電波送受信手段からの発信信号に対応する信号と受信信号に対応する信号に応じて前記視聴者までの距離を演算する手段と、
該演算された距離が全て前記視聴空間の範囲にないとき電源をオフする手段
を備えたことを特徴とするマルチチャンネル音声再生装置。
【請求項７】
音声を複数のスピーカＢＯＸから再生して視聴空間に音場を生成せしめるマルチチャンネル音声再生装置において、
前記複数のスピーカＢＯＸのそれぞれに備わり該スピーカＢＯＸの前面方向に指向性を有するアンテナから視聴者に向けて電波を放射し前記視聴者から反射された反射波を受信する電波送受信手段を有する前記複数のスピーカＢＯＸと、
視聴空間の範囲を予め設定する手段と、
前記電波送受信手段からの前記発信信号に対応する信号と受信信号に対応する信号に応じて前記視聴者までの距離を演算する手段と、
前記複数のスピーカＢＯＸの少なくとも１つで視聴者が検知され、かつ他の前記複数のスピーカＢＯＸの少なくとも１つで視聴者が検知されないとき、電源オン状態を継続すると共にアラーム信号を出力する手段を備えたことを特徴とするマルチチャンネル音声再生装置。
【請求項８】
前記複数のスピーカＢＯＸの少なくとも１つの電波送受信手段で視聴者からの反射波を受信していない状態が所定時間経過したとき、電源をオフすることを特徴とする請求項６、又は請求項７に記載のマルチチャンネル音声再生装置。
【請求項９】
前記複数のスピーカＢＯＸの全ての電波送受信手段で視聴者からの反射波を受信していない状態が所定時間経過したとき、電源をオフすることを特徴とする請求項６、又は請求項７に記載のマルチチャンネル音声再生装置。
【請求項１０】
前記複数のスピーカＢＯＸの全ての電波送受信手段で視聴者からの反射波を受信しているとき、電源オンの状態を継続することを特徴とする請求項６に記載のマルチチャンネル音声再生装置。
【請求項１１】
音声を複数のスピーカＢＯＸから再生して視聴空間に音場を生成するマルチチャンネル音声再生装置において、
前記複数のスピーカＢＯＸのそれぞれに備わり該スピーカＢＯＸの前面方向に指向性を有する人感センサを有する前記複数のスピーカＢＯＸと、
前記人感センサの全てで視聴者が検知されない状態が所定時間経過したとき、電源をオフすることを特徴とするマルチチャンネル音声再生装置。
【請求項１２】
音声を複数のスピーカＢＯＸから再生して視聴空間に音場を生成せしめるマルチチャンネル音声再生装置において、
前記複数のスピーカＢＯＸのそれぞれに備わり該スピーカＢＯＸの前面方向に指向性を有する人感センサを有する前記複数のスピーカＢＯＸと、
前記人感センサの少なくとも１つで視聴者が検知され、かつ他の前記人感センサの少なくとも１つで視聴者が検知されないとき、電源オン状態を継続すると共にアラーム信号を出力する手段を備えたことを特徴とするマルチチャンネル音声再生装置。
【請求項１３】
音声を複数のスピーカＢＯＸから再生して視聴空間に音場を生成するマルチチャンネル音声再生装置の視聴者不在検知方法において、
前記複数のスピーカＢＯＸの各々が前面方向に指向性を有するセンサで視聴者を検知し、
前記センサにより検知された検知状態を組み合わせて視聴者の不在状態を判断し、
不在状態であると判断されてから所定時間が経過したときは電源をオフすることを特徴とする視聴者不在検知方法。
【請求項１４】
前記センサは、前記視聴者が前記スピーカＢＯＸの前面方向の所定距離の範囲にいるとき前記視聴者を検知することを特徴とする請求項１３に記載の視聴者不在検知方法。
【請求項１５】
全ての前記センサが前記視聴者を検知しないとき不在状態であると判断することを特徴とする請求項１３又は請求項１４に記載の視聴者不在検知方法。
【請求項１６】
少なくとも１つの前記センサが前記視聴者を検知しないとき不在状態であると判断することを特徴とする請求項１３又は請求項１４に記載の視聴者不在検知方法。
【請求項１７】
前記センサの検知情報に基づき電源をオフするように動作したとき、アラーム表示をすることを特徴とする請求項１３乃至請求項１６のいずれか一項に記載の視聴者不在検知方法。
【請求項１８】
前記センサの少なくとも１つで視聴者が検知され、かつ他の前記センサの少なくとも１つで視聴者が検知されないとき、電源オン状態を継続すると共にアラーム信号を出力し、
全ての前記センサが前記視聴者を検知しない状態で不在状態であると判断し、不在状態であると判断されてから所定時間経過したとき電源をオフする
ことを特徴とする請求項１３乃至請求項１５のいずれか一項に記載の視聴者不在検知方法。
【発明の詳細な説明】
【技術分野】
【０００１】
本発明は、マルチチャンネル音声再生装置、及びその視聴者不在検知方法に係り、特に、視聴者が視聴空間から席をはずしたとき電源を自動的にオフすることができ、あるいは視聴空間における音場がスピーカの配置により最適な状態になっていないとき警告を発することのできるマルチチャンネル音声再生装置、及びその視聴者不在検知方法に関する。
【背景技術】
【０００２】
マルチチャンネル音声再生装置（オーディオ装置におけるマルチチャンネル音声再生装置、あるいはホームシアターシステム等の映像再生装置のマルチチャンネル音声再生装置など）は、複数のスピーカを使用して音声を再生することにより効果的な音響空間（音場）を形成することができる。聴取者や視聴者（以下視聴者という）は再生された音場の中心に位置することにより最適な状態で音楽などを楽しむことができる。
【０００３】
しかしながら、従来のマルチチャンネル音声再生装置は、視聴者が電源をオフしないで長時間席をはずした場合、視聴者が電源をオフしないかぎり電源はオンになったままであった。視聴者が不在になった場合の電源を自動的にオフする従来技術として、例えば特開平６−７８２４６号で提案されたテレビジョン電源制御方法がある。この従来技術は、視聴者が不在か否かをセンシング手段で検知して不在信号を出力し、この不在信号とエネーブル信号とにより不在検知信号を出力してテレビジョンを動作待期モードに切り替えるようにしている。
この従来技術によれば、視聴者がテレビジョンを視聴中、電源をオフせずに席を離れたとき、一定時間経過後、自動的に電源を制御し動作待期モードに切換えることによって、いちいち電源をオフしなくて済み、不必要な電力浪費を防止し、過熱による機器の損傷防止ができるとされている。
【特許文献１】特開平６−７８２４６号公報
【発明の開示】
【発明が解決しようとする課題】
【０００４】
しかしながら、上記従来技術は、マルチチャンネル音声再生装置の複数のスピーカの配置により変わる音場の位置を考慮することができない。マルチチャンネル音声再生装置は複数のスピーカを配置して音場を形成するが、スピーカを設置する場所は、例えば４．５畳の部屋であったり、１０畳の部屋であったり、あるいはそれ以上の広さの部屋であったりする。また、スピーカの配置される場所の大体の配置関係は決まっているものの、スピーカの配置は視聴者の好みにより、あるいは部屋の事情によりそれぞれ異なっているのが実情である。したがって、上記従来技術をマルチチャンネル音声再生装置に適用した場合、音場が形成される場所がまちまちなので、視聴者がその音場に不在か否かを正確に検知できない問題があった。
【０００５】
また、従来、視聴者などの人物を検知するには赤外線による人感センサを例えばテレビジョンの前面に向けて設置したり、天井や壁に固定し視聴者が位置すると思われる方向にむけて取り付けることが多い。このテレビジョンの前面に向けて人感センサを設置する技術をマルチチャンネル音声再生装置に適用し、マルチチャンネル音声再生装置の前面に向けて人感センサを設置すると、音場を越えたところの視聴者でない人物を検知してしまうなどの問題がある。この人感センサで検知する距離範囲をスピーカの配置に合わせて変更することは困難である。また、人感センサが天井や壁に固定して取り付けられた場合、スピーカの配置換えに伴い固定位置を変更する必要があるが、これには困難な作業を伴う。また、上記従来技術は、視聴者に対しスピーカの配置が最適な状態になっていないとき警告を発することもできない。
【０００６】
本発明の目的は、上記問題点に鑑み、マルチチャンネル音声再生装置の複数のスピーカの配置が変更になっても視聴者がその音場に不在か否かを正確に検知でき、また、マルチチャンネル音声再生装置の配置を変更した場合でも視聴者を検知するセンサの取り付けを変更する必要がなく、また、視聴者に対しスピーカの配置が最適な状態になっていないとき警告を発することができるマルチチャンネル音声再生装置を提供することにある。
【課題を解決するための手段】
【０００７】
本発明の請求項１に係る発明の要旨は、音声を複数のスピーカＢＯＸから再生して視聴空間に音場を生成するマルチチャンネル音声再生装置において、前記複数のスピーカＢＯＸのそれぞれに備わり該スピーカＢＯＸの前面方向に指向性を有し視聴者を検知するセンサと、全ての前記センサが前記視聴者を検知しない状態で所定時間経過したとき電源をオフする電源ＯＮ／ＯＦＦ制御手段を備えたことを特徴とする請求項１に記載のマルチチャンネル音声再生装置に存する。
また、本発明の請求項２に係る発明の要旨は、音声を複数のスピーカＢＯＸから再生して視聴空間に音場を生成するマルチチャンネル音声再生装置において、前記複数のスピーカＢＯＸのそれぞれに備わり該スピーカＢＯＸの前面方向に指向性を有し視聴者を検知するセンサと、少なくとも１つの前記センサが前記視聴者を検知しない状態で所定時間経過したとき電源をオフするように制御する電源ＯＮ／ＯＦＦ制御手段を備えたことを特徴とする請求項１に記載のマルチチャンネル音声再生装置に存する。
また、本発明の請求項３に係る発明の要旨は、前記センサの検知情報に基づき電源ＯＮ／ＯＦＦ制御手段が電源をオフするように動作したとき、アラーム表示をするアラーム表示手段を備えたことを特徴とする請求項１又は請求項２に記載のマルチチャンネル音声再生装置に存する。
また、本発明の請求項４に係る発明の要旨は、前記複数のスピーカＢＯＸの少なくとも１つで視聴者が検知され、かつ他の前記複数のスピーカＢＯＸの少なくとも１つで視聴者が検知されないとき、電源オン状態を継続すると共にアラーム信号を出力する手段を備えたことを特徴とする請求項１又は請求項２に記載のマルチチャンネル音声再生装置に存する。
また、本発明の請求項５に係る発明の要旨は、前記センサの検知情報に基づき視聴者の存在する距離を演算する手段と、該演算された距離が予め定めた視聴空間の範囲内にあるか否かを判別する距離判別手段を備えたことを特徴とする請求項１又は請求項４に記載のマルチチャンネル音声再生装置に存する。
また、本発明の請求項６に係る発明の要旨は、音声を複数のスピーカＢＯＸから再生して視聴空間に音場を生成するマルチチャンネル音声再生装置において、前記複数のスピーカＢＯＸのそれぞれに備わり該スピーカＢＯＸの前面方向に指向性を有するアンテナから視聴者に向けて電波を放射し前記視聴者から反射された反射波を受信する電波送受信手段を有する前記複数のスピーカＢＯＸと、視聴空間の範囲を予め設定する手段と、前記電波送受信手段からの発信信号に対応する信号と受信信号に対応する信号に応じて前記視聴者までの距離を演算する手段と、該演算された距離が全て前記視聴空間の範囲にないとき電源をオフする手段を備えたことを特徴とするマルチチャンネル音声再生装置に存する。
また、本発明の請求項７に係る発明の要旨は、音声を複数のスピーカＢＯＸから再生して視聴空間に音場を生成せしめるマルチチャンネル音声再生装置において、前記複数のスピーカＢＯＸのそれぞれに備わり該スピーカＢＯＸの前面方向に指向性を有するアンテナから視聴者に向けて電波を放射し前記視聴者から反射された反射波を受信する電波送受信手段を有する前記複数のスピーカＢＯＸと、視聴空間の範囲を予め設定する手段と、前記電波送受信手段からの前記発信信号に対応する信号と受信信号に対応する信号に応じて前記視聴者までの距離を演算する手段と、前記複数のスピーカＢＯＸの少なくとも１つで視聴者が検知され、かつ他の前記複数のスピーカＢＯＸの少なくとも１つで視聴者が検知されないとき、電源オン状態を継続すると共にアラーム信号を出力する手段を備えたことを特徴とするマルチチャンネル音声再生装置に存する。
また、本発明の請求項８に係る発明の要旨は、前記複数のスピーカＢＯＸの少なくとも１つの電波送受信手段で視聴者からの反射波を受信していない状態が所定時間経過したとき、電源をオフすることを特徴とする請求項６、又は請求項７に記載のマルチチャンネル音声再生装置に存する。
また、本発明の請求項９に係る発明の要旨は、前記複数のスピーカＢＯＸの全ての電波送受信手段で視聴者からの反射波を受信していない状態が所定時間経過したとき、電源をオフすることを特徴とする請求項６、又は請求項７に記載のマルチチャンネル音声再生装置に存する。
また、本発明の請求項１０に係る発明の要旨は、前記複数のスピーカＢＯＸの全ての電波送受信手段で視聴者からの反射波を受信しているとき、電源オンの状態を継続することを特徴とする請求項６に記載のマルチチャンネル音声再生装置に存する。
また、本発明の請求項１１に係る発明の要旨は、音声を複数のスピーカＢＯＸから再生して視聴空間に音場を生成するマルチチャンネル音声再生装置において、前記複数のスピーカＢＯＸのそれぞれに備わり該スピーカＢＯＸの前面方向に指向性を有する人感センサを有する前記複数のスピーカＢＯＸと、前記人感センサの全てで視聴者が検知されない状態が所定時間経過したとき、電源をオフすることを特徴とするマルチチャンネル音声再生装置に存する。
また、本発明の請求項１２に係る発明の要旨は、音声を複数のスピーカＢＯＸから再生して視聴空間に音場を生成せしめるマルチチャンネル音声再生装置において、前記複数のスピーカＢＯＸのそれぞれに備わり該スピーカＢＯＸの前面方向に指向性を有する人感センサを有する前記複数のスピーカＢＯＸと、前記人感センサの少なくとも１つで視聴者が検知され、かつ他の前記人感センサの少なくとも１つで視聴者が検知されないとき、電源オン状態を継続すると共にアラーム信号を出力する手段を備えたことを特徴とするマルチチャンネル音声再生装置に存する。
また、本発明の請求項１３に係る発明の要旨は、音声を複数のスピーカＢＯＸから再生して視聴空間に音場を生成するマルチチャンネル音声再生装置の視聴者不在検知方法において、前記複数のスピーカＢＯＸの各々が前面方向に指向性を有するセンサで視聴者を検知し、前記センサにより検知された検知状態を組み合わせて視聴者の不在状態を判断し、不在状態であると判断されてから所定時間が経過したときは電源をオフすることを特徴とする視聴者不在検知方法に存する。
また、本発明の請求項１４に係る発明の要旨は、前記センサは、前記視聴者が前記スピーカＢＯＸの前面方向の所定距離の範囲にいるとき前記視聴者を検知することを特徴とする請求項１３に記載の視聴者不在検知方法に存する。
また、本発明の請求項１５に係る発明の要旨は、全ての前記センサが前記視聴者を検知しないとき不在状態であると判断することを特徴とする請求項１３又は請求項１４に記載の視聴者不在検知方法に存する。
また、本発明の請求項１６に係る発明の要旨は、少なくとも１つの前記センサが前記視聴者を検知しないとき不在状態であると判断することを特徴とする請求項１３又は請求項１４に記載の視聴者不在検知方法に存する。
また、本発明の請求項１７に係る発明の要旨は、前記センサの検知情報に基づき電源をオフするように動作したとき、アラーム表示をすることを特徴とする請求項１３乃至請求項１６のいずれか一項に記載の視聴者不在検知方法に存する。
また、本発明の請求項１８に係る発明の要旨は、前記センサの少なくとも１つで視聴者が検知され、かつ他の前記センサの少なくとも１つで視聴者が検知されないとき、電源オン状態を継続すると共にアラーム信号を出力し、全ての前記センサが前記視聴者を検知しない状態で不在状態であると判断し、不在状態であると判断されてから所定時間経過したとき電源をオフすることを特徴とする請求項１３乃至請求項１５のいずれか一項に記載の視聴者不在検知方法に存する。
【発明の効果】
【０００８】
本発明によれば、マルチチャンネル音声再生装置の複数のスピーカの配置が変更になっても視聴者がその音場に不在か否かを正確に検知できるという効果がある。
また、マルチチャンネル音声再生装置の配置を変更した場合でも視聴者を検知するセンサの取り付けを変更する必要がないという効果がある。
また、視聴者に対しスピーカの配置が最適な状態になっていないとき警告を発することができるという効果がある。
【発明を実施するための最良の形態】
【０００９】
次に、本発明を実施するための最良の形態を、図面を参照して具体的に説明する。
【００１０】
（第１の実施の形態）
図１は第１の実施の形態で本発明が適用されるマルチチャンネル音声再生装置の一例を示したものである。
【００１１】
１は視聴空間、２は映像と音声の再生信号を出力するマルチチャンネル音声再生装置の本体、３は再生映像を表示するディスプレイ、４は視聴者の中央に位置するセンタースピーカ、５は視聴者の左前方に位置するフロントＬ（左）チャンネルスピーカ、６は視聴者の右前方に位置するフロントＲ（右）チャンネルスピーカ、７は視聴者の左後方に位置するリアＬ（左）チャンネルスピーカ、８は視聴者の右後方に位置するリアＲ（右）チャンネルスピーカ、９は低域の音を再生するサブウーハースピーカ、１０は視聴空間１の中心である。
【００１２】
なお、センタースピーカ４〜サブウーハースピーカ９は、以下に説明するように、スピーカの他に視聴者を検知するセンサが内蔵され、スピーカＢＯＸとして構成されたものとなっているので、これらを総じて表現する場合にはスピーカＢＯＸと呼ぶことにする。
【００１３】
図１において、センタースピーカ４は視聴空間１の中心１０からＬ１の距離に設置され、フロントＬチャンネルスピーカ５は視聴空間１の中心１０からＬ２の距離に設置され、フロントＲチャンネルスピーカ６は視聴空間１の中心１０からＬ３の距離に設置され、リアＬチャンネルスピーカ７は視聴空間１の中心１０からＬ４の距離に設置され、リアＲチャンネルスピーカ８は視聴空間１の中心１０からＬ５の距離に設置され、サブウーハースピーカ９は視聴空間１の中心１０からＬ６の距離に設置されているものとする。また、視聴空間１の中心１０から半径ｒの距離が視聴空間１の範囲として設定されているとする。したがって、本実施の形態では、例えばセンタースピーカ４から視聴空間１の中心１０までの距離Ｌ１が１０メータでｒを５メートルとした場合には、センタースピーカ４から５メートル〜１５メートルの範囲に視聴者がいれば視聴者は視聴空間１に存在し、この範囲内にいなければ視聴者は不在であるとする。
【００１４】
各スピーカＢＯＸ４〜９は、理想的には、中心１０に対し点線１１で示したほぼ等しい距離に配置されるのが理想である。このように各スピーカＢＯＸが配置されると、視聴空間１の中心１０は再生された音場の中心に位置することになり、視聴空間１の中心１０、あるいはこの周りの半径ｒの範囲、すなわち視聴空間１に視聴者が位置して視聴すれば、最適な状態で音楽などを楽しむことができる。
【００１５】
図２は本発明による第１の実施の形態を示すマルチチャンネル音声再生装置の構成図である。
【００１６】
図２において、２はマルチチャンネル音声再生装置の本体を示している。また、マルチチャンネル音声再生装置の本体２の出力には各スピーカＢＯＸ４〜９が接続されている。各スピーカＢＯＸ４〜９の配置関係は図１のようになっている。
【００１７】
マルチチャンネル音声再生装置の本体２は再生信号出力部２１、音声信号処理手段２２〜２４、視聴者不在判別部２５〜２７で構成されている。再生信号出力部２１は、ＤＶＤ再生装置、ＣＤ再生装置、テレビ受信機、ビデオ装置などによる音声再生信号の出力部である。再生信号出力部２１からは、各スピーカＢＯＸ４〜９にそれぞれ対応した音声信号s1が出力される。但し、図２では、フロントＲチャンネルスピーカ６、リアＬチャンネルスピーカ７、リアＲチャンネルスピーカ８に対応する部分、及びディスプレイ３を含む映像再生処理部は図示を省略している。
【００１８】
また、視聴者不在判別部２５〜２７は経路特性部４１、減算器４２、距離演算部４３、距離判別部４４で構成されている。
【００１９】
また、視聴空間設定部４５には、外部設定入力手段例えばリモコンなどにより、各スピーカＢＯＸと視聴者間の距離Ｌ１〜Ｌ６が入力されて記憶される。視聴空間設定部４５は、視聴空間１の範囲として半径ｒの値を予め入力して記憶してある。そしてこのｒの値と各スピーカＢＯＸと視聴者間の距離Ｌ１〜Ｌ６とから視聴空間１の範囲が求められ、この視聴空間１の範囲が距離判別部４４に出力される。
【００２０】
また、距離判別部４４の出力はＡＮＤ回路４６に入力される。ＡＮＤ回路４６には４〜９の各スピーカＢＯＸに対応する距離判別部４４からの出力が入力されている。このＡＮＤ回路４６の出力は電源をオン、オフする電源ＯＮ／ＯＦＦ制御部４７に入力される。電源ＯＮ／ＯＦＦ制御部４７はタイマーを備えており、視聴者１３が不在になったときタイマーが起動され、所定時間を超えてそのままに放置され、タイマーがタイムアップしたとき電源を遮断し、アラーム表示手段６４にアラーム信号を出力をする機能を有している。アラーム表示手段６４は電源ＯＮ／ＯＦＦ制御部４７からのアラーム信号によりアラーム表示をする。
【００２１】
音声信号処理手段２２〜２４はＤＳＰ（音声信号生成手段）４８，デジタルアナログ変換器（以下ＤＡＣという）４９、増幅器５０で構成されている。ＤＳＰ４８は音声信号処理用に作られた専用のデジタルシグナルプロセッサで、音量や位相（信号遅延量（ディレイ））を調整する機能を有する。
再生信号出力部２１からの音声信号ｓ1はＤＳＰ４８に入力され、音声信号の音量と位相が調整されて信号s2として出力される。
【００２２】
ＤＳＰ４８からの信号ｓ2はディジタル音声信号であり、ＤＡＣ４９に出力される。このＤＡＣ４９でディジタル音声信号ｓ2はアナログ音声信号ｓ3に変換される。アナログ音声信号ｓ3は増幅器５０で増幅されスピーカ５５に信号ｓ4として出力される。
【００２３】
センタースピーカ４には、スピーカ５５、発信機５１、及び受信機５２、アンテナ５３、５４が備わっている。センタースピーカ４のみ詳細構成を示したが、その他のスピーカＢＯＸ５〜９も同様に構成されている。
【００２４】
発信機５１からの信号ｓ5は、指向性を持ったアンテナ５３により電波として放射される。アンテナ５３からの電波が視聴者１３に当たって反射され、この反射された電波がアンテナ５４を備えた受信機５２で受信される。使用される電波は各スピーカＢＯＸ４〜９と視聴者間の距離、すなわち数１０メートル程度までの距離を測定できるものであれば良い。電波としてミリ波を使用するとアンテナサイズが小型化でき、高利得が得られるので特に有効である。しかし、ミリ波に限定されることはない。
【００２５】
今、各スピーカＢＯＸ４〜９が所定位置に設置されたときの各スピーカＢＯＸ４〜９と視聴空間１の中心１０との距離Ｌ１〜Ｌ６を各スピーカＢＯＸ４〜９に対する基準距離とする。そして、経路特性部４１には、この基準距離Ｌ１〜Ｌ６を伝搬する電波の一次経路特性（一次近似の伝搬特性：信号レベルの減衰特性や位相遅延特性など）が記憶される。
【００２６】
この一次経路特性は視聴空間設定部４５に設定された上記基準距離に応じてパラメータを変更することにより、視聴者１３とそれぞれのスピーカＢＯＸとの間の上記基準距離に応じた一次経路特性とされる。そして経路特性部４１は、信号ｓ6が入力されると、各スピーカＢＯＸ４〜９が視聴空間１の中心１０から上記基準距離Ｌ１〜Ｌ６だけ離れて設置されたとしたときの電波が受ける減衰特性や位相遅延特性にしたがって出力を演算し、信号ｓ7として出力する。したがって経路特性部４１は上記基準距離のＬ１〜Ｌ６電波伝搬路を模擬するものとなっている。
【００２７】
また、減算器４２には受信機５２からの信号ｓ9と経路特性部４１からの信号ｓ7が入力されその差分が信号ｓ9として距離演算部４３に出力される。したがって、発信機５１から電波が放射され受信機５２で受信されるまでに伝搬路（図３に示した各スピーカＢＯＸ４〜６と視聴者１３との間の距離Ｌ１１〜Ｌ１６）で受ける電波の遅延量（信号ｓ9に対応）と、経路特性部４１で基準距離Ｌ１〜Ｌ６に対して演算された遅延量（信号ｓ7に対応）の差分に対応する信号として信号ｓ10が得られる。
【００２８】
距離演算部４３は、入力された信号ｓ10をもとに、各スピーカＢＯＸ４〜９から視聴者１３の間の距離Ｌ１１〜Ｌ１６と上記基準距離Ｌ１〜Ｌ６との差分として距離差分値を求める。
【００２９】
距離判別部４４は、該求められた距離差分値が予め視聴空間１の範囲として定としてめた半径ｒの範囲に入っているか否かを判別する。
【００３０】
なお、電波の反射により測定される距離は、電波が放射されてから反射波を受けるまでの時間ｔからｃ×ｔ／２として求めることができる。但しｃは光の速さ３×１０８ｍ／ｓである。時間ｔは信号ｓ6に含まれる反射波の信号遅延時間から求めることができる。
【００３１】
次に、本実施の形態の動作を説明する。
【００３２】
まず、視聴者１３は、視聴空間１の中心１０と各スピーカＢＯＸ４〜９間の距離Ｌ１〜Ｌ６を視聴空間設定部４５にリモコンなどの外部設定入力手段を用いて設定する。視聴空間設定部４５には予め視聴空間１の範囲として定めた値ｒが記憶されており、各スピーカＢＯＸ４〜９に対応して入力された基準距離Ｌ１〜Ｌ６に対し視聴空間１の範囲を定める。例えば視聴空間１の中心１０と、あるスピーカＢＯＸとの間の距離が１０メートルで、ｒが５メートルあれば、視聴空間１の範囲はそのスピーカＢＯＸから５メートル〜１５メートルとして視聴空間設定部４５に設定される。
【００３３】
次に、発信機５１から、電波として送信すべき信号ｓ5がアンテナ５２に供給されると同時に、信号ｓ6が経路特性部４１に出力される。この信号ｓ5は電波で送信するために信号ｓ6に対し変調された信号となっているが、信号ｓ6とは位相が等しく信号レベルは互いに比例する信号となっている。
【００３４】
経路特性部４１では、信号ｓ6が入力されると、内部に記憶された一次近似伝搬特性に基づき基準距離Ｌ１〜Ｌ６に対する模擬の伝搬信号を演算し、その結果を信号ｓ7として減算器４２に出力する。
【００３５】
図４は各スピーカＢＯＸ４〜９のアンテナ５３から放射される電波の様子を示している。１５は電波の方向による強度（電波ビームのメインローブ）を示している。また１７は電波の放射方向の角度範囲を示している。アンテナ５３はこのようにアンテナの特定方向に指向性を有している。本実施の形態では電波の放射方向をスピーカ５５の前方にとり、視聴空間１の中心１０の方向に向けられる。もし視聴空間１として設定した範囲に視聴者１３がいる場合に、放射された電波は視聴者１３により反射して、元のスピーカＢＯＸの方向に戻る。
【００３６】
このようにして視聴者１３で反射した電波は、アンテナ５４に到達し、受信機５２で信号ｓ8として受信される。その後この電波は、受信機５１で復調、増幅された後、信号ｓ9として減算器４１に出力される。
【００３７】
これら信号ｓ7と信号ｓ9は減算器４２により差分がとられ、信号ｓ10として距離演算部４３に出力される。
【００３８】
距離演算部４３では、入力された信号ｓ10から、各スピーカＢＯＸ４〜９から視聴者１３の間の距離Ｌ１１〜Ｌ１６と基準距離Ｌ１〜Ｌ６との距離差分値が演算される。この距離差分値は距離判別部４４に入力される。
【００３９】
距離判別部４４では、視聴空間設定部４５から入力された視聴空間１の範囲（半径ｒ）と上記距離差分値を比較し上記距離差分値が視聴空間１の範囲（半径ｒ）内にあるか否かを判別する。もし、距離差分値が視聴空間の範囲内にある場合には、視聴者１３が図５に示したように視聴空間１の範囲にいるとして、ＡＮＤ回路４６に論理１を出力する。また、距離差分値が視聴空間の範囲にない場合には、視聴者１３が図６に示したように視聴空間１の範囲から外にいて不在であるとして、ＡＮＤ回路４６に論理０を出力する。
【００４０】
この距離差分値と視聴空間１の範囲との比較判別は各スピーカＢＯＸ４〜９について行われ、その結果がＡＮＤ回路４６に入力される。したがって、もしいずれかのスピーカＢＯＸの距離差分値が視聴空間１の範囲（半径ｒ）をはずれている場合にはＡＮＤ回路４６の出力は論理０となる。
【００４１】
ＡＮＤ回路４６から論理０が電源ＯＮ／ＯＦＦ制御部４７に入力されると、入力された時点から内蔵されたタイマーが起動し、所定時間を経過するとタイマーがタイムアップして電源がオフする。
【００４２】
このように、本実施の形態では、リアルタイムに各スピーカＢＯＸ４〜９と視聴者１３の間の距離を測定し、視聴空間１の範囲と比較し、この範囲に視聴者１３が存在する否かを判断し、もし視聴者１３が所定時間を超えて長時間不在になっている場合には電源がオフされるので、不要な電力消費を防止することができる。
【００４３】
なお、本実施の形態では、実際の発信機５１と受信機５２にはそれぞれ信号レベルの減衰と位相遅延があるので、これらを見込んで調整する必要がある。この調整は、例えば経路特性部４１にこれら信号レベルの減衰と位相遅延を盛り込んで相殺するようにしても良いし、距離演算部４３でこれら信号レベルの減衰と位相遅延を打ち消すようにして演算してもよい。
【００４４】
（第２の実施の形態）
視聴者１３が図６のように視聴空間１の範囲にいないときＡＮＤ回路４６の出力は論理０となるが、図７に示したように、スピーカＢＯＸ４〜９のいずれか１つでも、電波の放射範囲に視聴空間１の方向を向いていない場合にもＡＮＤ回路４６の出力は論理０となる。これはスピーカＢＯＸ４〜９が不適切な方向を向いていることを示している。図６に示した正常にスピーカＢＯＸ４〜９が設置された場合と比べると、図７に示した場合は、視聴者１３が視聴空間１にいるにも拘わらず、スピーカＢＯＸ４〜９のいずれかで視聴者１３からの電波の反射を受信できない。
【００４５】
図８はこのようにスピーカＢＯＸのいずれかが不適切な方向に向いているとき警告を発するようにした第２の実施の形態を示すものである。第１の実施の形態を示す図２と本実施の形態の図８を比較すると、本実施の形態では、距離判別部４４の出力をＡＮＤ回路４６とＯＲ回路６０に入力し、ＯＲ回路６１によりＯＲ回路６０の出力とＡＮＤ回路４６の出力の論理ＯＲをとり、このＯＲ回路６１の出力で電源ＯＮ／ＯＦＦ制御部４７の制御を行うようにし、また、ＡＮＤ回路４６の反転信号をＮＯＴ回路６３の出力として得て、ＡＮＤ回路６２の入力にＮＯＴ回路６３の出力とＯＲ回路６０の出力を入力し、ＡＮＤ回路６２の出力によりアラーム表示手段６５を駆動するように構成されている。その他の構成は第１の実施の形態の図２に示した構成と同じである。
【００４６】
本実施の形態は、各スピーカＢＯＸ４〜９からの距離判別部４４の出力が全て０のときＯＲ回路６１の出力が０になる。言い換えれば距離判別部４４のいずれかの出力が１であればＯＲ回路６１の出力は１になる。このＯＲ回路６１の出力により、ＯＲ回路６１の出力が１のとき電源がオンし、ＯＲ回路６１の出力が０のとき、第１の実施の形態と同様、所定時間後に電源がオフするように電源ＯＮ／ＯＦＦ制御部４７が制御される。
【００４７】
また、各スピーカＢＯＸ４〜９に対応する距離判別部４４のいずれかの出力が全て１あるいは全て０のときＡＮＤ回路６２の出力は０になり、各スピーカＢＯＸ４〜９に対応する距離判別部４４の出力に０と１が混在するような場合には１になる。したがって、一部のスピーカＢＯＸにより視聴者１３を電波で検知しているときは、電源はオンするけれども、スピーカＢＯＸの向きが視聴者１３の方向に向いていないとしてアラーム表示が出る。また、全てのスピーカＢＯＸ４〜９により視聴者１３を電波で検知しているときは、電源がオンしアラームは表示されない。また、全てのスピーカＢＯＸ４〜９が視聴者１３を電波で検知していないときは、所定時間後に電源がオフしアラームは表示されない。
【００４８】
すなわち、本実施の形態によれば、スピーカＢＯＸ４〜９の全てが視聴者１３に向いており、かつ視聴者１３がいるときはアラームなしの電源オン状態となる。また、全てのスピーカＢＯＸ４〜９で視聴者１３が検知されない状態が所定時間経過したときは視聴者１３が不在であるとして所定時間後に電源オフ状態となる。また、各スピーカＢＯＸのうちいずれかのスピーカＢＯＸが視聴者１３に向いていないときには、軽度の不具合としてアラーム表示のみに留め、電源はオンされる。これにより、視聴者１３は視聴が可能な状態となり、必要であればスピーカＢＯＸの向きを調べて、視聴者１３の方向に向くように修正することができる。このアラーム表示手段６５によるアラーム表示はアラームランプを点滅するなどすれば、注意を喚起する上で都合が良い。また、音声出力によりスピーカＢＯＸのいずれかが視聴者１３に向いていないことを警告するようにしても良い。
【００４９】
（第３の実施の形態）
図９は本発明によるマルチチャンネル音声再生装置の第３の実施の形態を示したものである。本実施の形態と第１の実施の形態を比較すると、本実施の形態では視聴者１３が不在か否かを検知する手段として人感センサ５９を用いた点が相違している。人感センサ５９は人間の体から発する赤外線が変化したとき出力を発するセンサである。この人感センサも図４に示した第１、第２の実施例の電波による検知と同様の指向性を有している。
【００５０】
本実施の形態は、第１の実施の形態と比べると、発信機５１、受信機５２、アンテナ５３、５４に代えて人感センサ５９を備え、また、視聴者不在判別部２５〜２７と視聴空間設定部４５は備えておらず、各スピーカＢＯＸ１０４〜１０９における人感センサ５９の出力が直接ＡＮＤ回路４６に入力されている。
【００５１】
第１の実施の形態が電波を使用して距離を測定し標準距離Ｌ１〜Ｌ６との距離差分値が視聴空間１の範囲にあるか否かを判定しているが、本実施の形態は人感センサ５９の検知範囲に視聴者１３が存在するか否かを検知するようにしている点が異なる。本実施の形態の動作は第１の実施の形態における距離判別部４４の出力を本実施の形態の人感センサ５９の出力に置き換えれば同様に考えることができるので詳しい説明は省略する。
【００５２】
このように本実施の形態では、従来、１つの人感センサでは視聴者１３の不在を正確に検知することができなかったものを、複数の人感センサの信号を組み合わせることにより正確に検知できるようにしたものである。本実施の形態でも同様に、リアルタイムに視聴空間１の範囲内に視聴者１３が存在する否かを判断し、もし視聴者１３が所定時間を超えて長時間不在になっている場合には、第１の実施の形態と同様、所定時間後に電源がオフされるので、不要な電力消費を防止することができる。
【００５３】
（第４の実施の形態）
図１０は本発明によるマルチチャンネル音声再生装置の第４の実施の形態を示したものである。本実施の形態と第２の実施の形態を比較すると、本実施の形態では視聴者１３が不在か否かを検知する手段として第３の実施の形態と同様、人感センサ５９を用いた点が相違している。
【００５４】
本実施の形態は、第２の実施の形態と比べると、発信機５１、受信機５２、アンテナ５３、５４に代えて人感センサ５９を備え、視聴者不在判別部２５〜７と視聴空間設定部４５は備えておらず、各スピーカＢＯＸ１０４〜１０９における人感センサ５９の出力が直接ＡＮＤ回路４６とＯＲ回路６０に入力されている。
【００５５】
第２の実施の形態が電波を使用して距離を測定し標準距離Ｌ１〜Ｌ６との距離差分値が視聴空間１の範囲にあるか否かを判定しているが、本実施の形態は人感センサ５９の検知範囲に視聴者１３が存在するか否かを検知するようにしている点が異なる。本実施の形態の動作は第２の実施の形態における距離判別部４４の出力を本実施の形態の人感センサ５９の出力に置き換えれば同様に考えることができるので詳しい説明は省略する。
【００５６】
このように本実施の形態では、従来、１つの人感センサでは視聴者１３の不在を正確に検知することができなかったものを、複数の人感センサの信号を組み合わせることにより正確に検知できるようになる。また、本実施の形態でも、第２の実施の形態と同様に、リアルタイムに視聴空間１の範囲内に視聴者１３が存在する否かを判断し、スピーカＢＯＸ１０４〜１０９の全てが視聴者１３に向いているときに視聴者１３がいるときはアラームなしの電源オン状態となる。また、全てのスピーカＢＯＸ１０４〜１０９で視聴者１３が検知されない状態が所定時間を超えたときは視聴者１３が不在であるとして電源オフ状態となる。また、各スピーカＢＯＸ１０４〜１０９のいずれかのスピーカＢＯＸが視聴者１３に向いていないときには、軽度の不具合としてアラーム表示のみに留め、電源はオンされる。これにより、視聴者１３は視聴が可能な状態となり、必要であればスピーカＢＯＸの向きを調べて、視聴者１３の方向に向くように修正することができる。このアラーム表示手段６５によるアラーム表示はアラームランプを点滅するなどすれば、注意を喚起する上で都合が良い。また、音声出力によりスピーカＢＯＸのいずれかが視聴者１３に向いていないことを警告するようにしても良い。
【００５７】
以上、本発明の実施の形態を具体的な実施例で説明したが、本発明はこの実施例に限定されることはない。例えば、上記実施の形態では各スピーカＢＯＸから視聴者１３の間の基準距離Ｌ１〜Ｌ６に対する距離差分値を求め、この距離差分値から音声信号の音量と位相の補正値を求めたが、各スピーカＢＯＸと視聴者１３間の距離から音声信号の音量と位相の補正値を求めるようにしても、同様に実施できる。この場合は基準距離を０にしたことに相当する。また、視聴空間１を中心１０から半径ｒの範囲としたが、これに限らず音場を形成することのできる任意の範囲として設定することができる。その他、本発明の要旨を変更しない範囲で変形して実施できることは言うまでもない。
【産業上の利用可能性】
【００５８】
本発明は、オーディオ再生装置、映像再生装置などのマルチチャンネル音声再生装置に広く利用できる。
【図面の簡単な説明】
【００５９】
【図１】本発明が適用されるマルチチャンネル音声再生装置の配置状態の一例を示した図である。
【図２】本発明の第１の実施の形態によるマルチチャンネル音声再生装置の構成を示す図である。
【図３】本発明における視聴者と各スピーカＢＯＸとの配置を説明する図である。
【図４】本発明における送信アンテナの指向特性を説明する図である。
【図５】本発明における動作を説明する図である。
【図６】本発明における動作を説明する図である。
【図７】本発明における動作を説明する図である。
【図８】本発明の第２の実施の形態によるマルチチャンネル音声再生装置の構成を示す図である。
【図９】本発明の第３の実施の形態によるマルチチャンネル音声再生装置の構成を示す図である。
【図１０】本発明の第４の実施の形態によるマルチチャンネル音声再生装置の構成を示す図である。
【符号の説明】
【００６０】
１・・・視聴空間
２、１２、１３、１４・・・マルチチャンネル音声再生装置の本体
３・・・ディスプレイ
４、１０４・・・センタースピーカ
５、１０５・・・フロントＬチャンネルスピーカ
６・・・フロントＲチャンネルスピーカ
７・・・リアＬチャンネルスピーカ
８・・・リアＲチャンネルスピーカ
９、１０９・・・サブウーハースピーカ
１０・・・視聴空間１の中心
１５・・・電波ビーム
１６・・・電波放射方向
１７・・・電波放射範囲
２１・・・再生信号出力部
２２〜２４・・・音声信号処理手段
２５〜２７・・・視聴者不在判別部
４１・・・経路特性部
４２・・・減算器
４３・・・距離演算部
４４・・・距離判別部
４５・・・視聴空間設定部
４６、６２・・・ＡＮＤ回路
４７・・・電源ＯＮ／ＯＦＦ制御部
４８・・・ＤＳＰ（音声信号生成手段）
４９・・・ＤＡＣ（デジタル・アナログ変換器）
５０・・・増幅器
５１・・・発信機
５２・・・受信機
５３、５４・・・アンテナ
５５・・・スピーカ
５９・・・人感センサ
６０、６１・・・ＯＲ回路
６３・・・ＮＯＴ回路(信号反転回路)
６４、６５・・・アラーム表示手段
【図１】
2006319822.tif 000003
【図２】
2006319822.tif 000004
【図３】
2006319822.tif 000005
【図４】
2006319822.tif 000006
【図５】
2006319822.tif 000007
【図６】
2006319822.tif 000008
【図７】
2006319822.tif 000009
【図８】
2006319822.tif 000010
【図９】
2006319822.tif 000011
【図１０】
2006319822.tif 000012